(57)【特許請求の範囲】
【請求項１】
条播間隔をおいて圃場に播種溝を形成する作溝部、その後方に該圃場を耕耘する耕耘部、播種溝に種を播く播種部、播種溝の側方に肥料を施す施肥部、種に覆土をする覆土部および覆土を鎮圧する鎮圧部を設け、前記耕耘部に、前記播種部の通過経路線上を外して前記播種溝側方の施肥部分を土、残渣、雑草と共に撹拌して土中に埋設させるため耕耘する浅耕爪と、播種溝および浅耕爪で耕耘された部分を外して前記浅耕爪よりも深く耕耘する深耕爪とを取付けたことを特徴とする播種機。
【請求項２】
深耕爪の後方に、深耕爪の耕耘跡に排水溝を形成する排水溝形成部を配設したことを特徴とする請求項１記載の播種機。
【請求項３】
播種溝を形成する作溝部に作溝輪を設けるにあたり、該作溝輪の両側に円筒状の接地輪を一体的に形成し、該接地輪を転動させることを特徴とする請求項１記載の播種機。
【発明の詳細な説明】
【０００１】
【発明の属する技術分野】
本発明は、不耕起圃場や浅耕圃場に大豆等の種を条播する播種機の技術分野に属するものである。
【０００２】
【従来の技術】
近来、不耕起圃場や浅耕圃場において、大豆等の作物を栽培する試みがあるが、従来の不耕起圃場用播種機は、種をばらまきする散播方式を採用しているため、大豆等の条播作物には適合しないのが実状であった。
【０００３】
【発明が解決しようとする課題】
そこで、圃場に播種溝を形成する作溝部と、播種溝に種を播く播種部と、種に覆土をする覆土部と、覆土を鎮圧する鎮圧部とを備える条播方式の不耕起圃場用播種機を開発して、不耕起圃場における大豆等の条播作物の播種を可能にすることが提唱されるが、従来の不耕起栽培では、播種後（もしくは播種前）に元肥を表面施肥しているため、施肥作業の労働力を別途確保する必要がある許りでなく、良好な肥効を望めない惧れがあった。
【０００４】
【課題を解決するための手段】
本発明は、上記の如き実情に鑑みこれらの課題を解決することを目的として創作されたものであって、請求項１の発明は、条播間隔をおいて圃場に播種溝を形成する作溝部、その後方に該圃場を耕耘する耕耘部、播種溝に種を播く播種部、播種溝の側方に肥料を施す施肥部、種に覆土をする覆土部および覆土を鎮圧する鎮圧部を設け、前記耕耘部に、前記播種部の通過経路線上を外して前記播種溝側方の施肥部分を土、残渣、雑草と共に撹拌して土中に埋設させるため耕耘する浅耕爪と、播種溝および浅耕爪で耕耘された部分を外して前記浅耕爪よりも深く耕耘する深耕爪とを取付けたことを特徴とする播種機である。つまり、播種作業と同時に施肥作業を行うことができるため、播種後に施肥作業を行っていた従来に比して省力化を図ることができ、しかも、播種溝の側方に施された肥料は、土、残渣、雑草等と共に浅耕爪で撹拌されているため、従来の表面施肥に比して肥効を向上させることができる許りでなく、浅耕による除草効果も期待できる。
請求項２の発明は、深耕爪の後方に、深耕爪の耕耘跡に排水溝を形成する排水溝形成部を配設したことを特徴とする請求項１記載の播種機である。
請求項３の発明は、播種溝を形成する作溝部に作溝輪を設けるにあたり、該作溝輪の両側に円筒状の接地輪を一体的に形成し、該接地輪を転動させることを特徴とする請求項１記載の播種機である。
【０００５】
【発明の実施の形態】
次に、本発明の実施の形態の一つを図面に基づいて説明する。図面において、１はトラクタ等の乗用型走行機体２に昇降リンク機構３（トップリンク３ａ、ロワリンク３ｂおよびリフトロッド３ｃ）を介して連結される多機能型の作業機であって、該作業機１は、走行機体２からＰＴＯ動力を入力する入力ギヤケース４、該入力ギヤケース４から左右に突出する筒フレーム５、該筒フレーム５の左右両端部から下方に突出するサイドフレーム６、左右のサイドフレーム６間に回動自在に軸承される耕耘軸７、該耕耘軸７にＰＴＯ動力を伝動するチェンケース８、筒フレーム５に上下揺動自在に設けられるツールバー９、該ツールバー９の高さを調節する高さ調節ハンドル１０等を備える所謂ロータリをベースに構成されるものであるが、筒フレーム５の上方には、ホッパ１１ａに貯溜された種子および肥料を順次繰り出す播種・施肥ユニット１１が設けられる一方、筒フレーム５の前後には、左右一対のフロントブラケット１２Ｆおよびリヤブラケット１２Ｒが突設されている。そして、作業機１は、前記ツールバー９、フロントブラケット１２Ｆおよびリヤブラケット１２Ｒに各種のアタッチメントを取付けることによって播種機もしくは中耕培土機として機能するが、まず、播種機として使用する場合に必要なアタッチメントについて説明する。
【０００６】
１３は前記フロントブラケット１２Ｆに取付マスト１３Ａを介して上下位置調節自在に取付けられる播種・施肥部アタッチメントであって、該播種・施肥部アタッチメント１３は、左右方向を向くクロスフレーム１４、該クロスフレーム１４に所定の条間隔を存して並設される複数のロッドブラケット１５、各ロッドブラケット１５に上下摺動自在に取付けられる支持ロッド１６、各支持ロッド１６を下方に付勢する加圧弾機１７Ａと上方に付勢する持上弾機１７Ｂ、各支持ロッド１６の下端部に転動自在に設けられる作溝輪１８等で構成されている。即ち、前記作溝輪１８は、加圧弾機１７Ａと持上弾機１７Ｂの付勢力で圃場面に追従しながら転動し、該転動に伴って圃場面にＶ溝状の播種溝を形成する略算盤玉状からなるもので、該作溝輪１８の左右両側部には、作溝輪１８よりも小径な円筒状の接地輪１８ａが一体的に設けられているため、該接地輪１８ａにより作溝輪１８の不要な下降を規制して播種溝の深さを安定させると共に、播種溝の肩部を鎮圧して肩崩れを防止することができるようになっている。
【０００７】
１９は前記クロスフレーム１４に装着した支持ステー１４Ａに固着される播種パイプであって、該播種パイプ１９の上端部は、播種・施肥ユニット１１の種子繰出口に接続される一方、下端部は、作溝輪１８の後方近傍にセットされて播種溝内に大豆等を播種するが、さらに、支持ステー１４Ａには、左右一対の施肥パイプ２０が固着されており、該施肥パイプ２０の上端部は、播種・施肥ユニット１１の肥料繰出口に接続される一方、下端部は、作溝輪１８の左右両側方にセットされている。つまり、播種・施肥アタッチメント１３には、播種パイプ１９や施肥パイプ２０がキット状に装備されているため、播種作業と同時に施肥作業を行うことができるようになっている。
【０００８】
２１は前記播種・施肥部アタッチメント１３の後方で圃場を浅耕する浅耕爪であって、該浅耕爪２１は、内向き爪、外向き爪からなり、少なくとも播種パイプ１９の通過経路線上を外して施肥パイプ２０の施肥跡を耕耘範囲に含むように耕耘軸７に取付けられている。つまり、播種溝の側方に施された肥料を、土、残渣、雑草等と共に浅耕爪２１で撹拌して土中に埋設させるため、表面施肥に比して肥効を長期に向上させることができる許りでなく、播種溝の側方を同時に除草して播種した作物種子の芽立ちが良好にできるようになっている。また、２２は耕耘軸７の所定位置に取付けられる深耕爪であって、該深耕爪２２は、内向き爪、外向き爪が円周方向に適宜配設され、図３に示されるように播種溝、施肥溝を外すようにして所定の条間を浅耕爪２１よりも深く耕耘するようになっている。
【０００９】
２３は前記リヤブラケット１２Ｒに取付けられる排水溝形成兼排水溝形成兼覆土アタッチメントであって、該排水溝形成兼覆土アタッチメント２３には、深耕爪２２の耕耘跡を中心とし、平面視ハ字状で片屋根状に延出する土受板２４が設けられており、該土受板２４の土受け作用に基づいて浅耕爪２１および深耕爪２２の耕耘飛散土を受止め落下させ播種溝に覆土するようになっている。そして、該土受板２４の下部に排水溝形成用の溝浚器２５が固設されており、該溝浚器２５が深耕爪２２の耕耘跡を通過して排水溝を形成するようになっている。
【００１０】
２６は前記ツールバー９に取付けられる排水切溝形成アタッチメントであって、該排水切溝形成アタッチメント２６は、前記土受板２４の下側に位置する溝浚器２５の背部に位置しており、排水切溝の深さは、前述した高さ調節ハンドル１０の操作に基づいて調節することができるようになっている。尚、排水切溝は、排水溝底部に割れ目を入れて排水効果を高めるよう意図したものである。
【００１１】
２７は前記ツールバー９に取付けられる鎮圧アタッチメントであって、該鎮圧アタッチメント２７は、ツールバー９から後方に延出する鎮圧フレーム２８、該鎮圧フレーム２８に上下揺動自在に設けられる鎮圧アーム２９、該鎮圧アーム２９を加圧弾機３０の付勢力で下方に加圧する加圧ロッド３１、鎮圧アーム２９の下端部に転動自在に設けられる鎮圧ローラ３２等で構成されている。つまり、前記鎮圧ローラ３２は、加圧弾機３０の付勢力で圃場面に追従しながら転動し、該転動に伴って覆土を鎮圧するが、前記排水溝形成位置は、鎮圧範囲から除外されているため、鎮圧ローラ３２の鎮圧力で排水溝が崩れる不都合を回避できるようになっている。
【００１２】
次に、図６、図７を例示して作業機１を中耕培土機として使用する場合に必要なアタッチメントについて説明する。まず、３３は前記フロントブラケット１２Ｆに上下位置調節自在に取付けられる左右一対の接地輪アタッチメントであって、該接地輪アタッチメント３３は、高さ調節ロッド３４の下端部に転動自在な接地輪３５を備えており、該接地輪３５の接地圧で作業機１の不要な下降を規制して作業機１の対地姿勢を安定させるようになっている。
【００１３】
３６は前記耕耘軸７の所定位置に取付けられる中耕爪であって、該中耕爪３６は、内向き爪、外向き爪が円周方向に適宜配設され、所定の条間位置を所定の深さで耕耘すべく、爪長さおよび取付本数が決められている。
【００１４】
３７は前記リヤブラケット１２Ｒに取付けられる左右一対の培土アタッチメントであって、該培土アタッチメント３７には、中耕爪３６が耕耘した土を左右に仕分ける犂先部３８Ａを有し、かつ中耕爪３６が跳ね上げた耕耘土を左右に分散させるガイド板３８と、該ガイド板３８の背部に位置して左右に分散した耕耘土を作物の株元に寄せる羽根状の培土板３９とが設けられている。
【００１５】
４０は前記ツールバー９に取付けられる左右一対の排水切溝形成アタッチメントであって、該排水切溝形成アタッチメント４０は、前記培土板３９の背部空間の下側に位置する切溝形成器４１が設けられており、該切溝形成器４１が中耕爪３６の耕耘跡の底部を通過して排水切溝を形成するが、排水切溝の深さは、前述した高さ調節ハンドル１０の操作に基づいて調節することができるようになっている。尚、排水切溝は、排水溝底部に割れ目を入れて排水効果を高めるよう意図したものである。
【００１６】
さて、中耕培土作業用のアタッチメントを作業機１に取付け、該作業機１を走行機体２に連結した状態の平面図を図７に示すが、このとき、接地輪３５、中耕爪３６、ガイド板３８および培土板３９は、走行機体２の車輪４２に対して、平面視で略一直線状に配置されるようになっている。つまり、走行機体２の車輪４２、接地輪３５、中耕爪３６、ガイド板３８および培土板３９を同一条間に位置させることができるため、機体旋回時や作業走行時の条間合わせを容易に行うことができるようになっている。
【００１７】
叙述の如く構成されたものにおいて、作業機１に、圃場に播種溝を形成して播種・施肥を行う播種・施肥部アタッチメント１３と、種に覆土をする排水溝形成兼覆土アタッチメント２３と、覆土を鎮圧する鎮圧アタッチメント２７とを取付けて播種機として使用するにあたり、播種・施肥部アタッチメント１３を装着するのみで播種・施肥ユニット１１とのパイピングを簡単に行うことができるため、組替作業が容易になり、しかも、播種作業と同時に施肥作業を行うため、播種後に施肥作業を行っていた従来に比して省力化を図ることができる。
【００１８】
また、播種溝の側方に施された肥料は、土、残渣、雑草等と共に浅耕爪２１で撹拌されるため、従来の表面施肥に比して肥効を長期に向上させることができる許りでなく、播種溝の側方を同時に除草して播種した作物種子の芽立ちを良好にすることができる。
【００１９】
また、耕耘軸７に、播種溝間を耕耘する深耕爪２２を設けると共に、該深耕爪２２の後方に、深耕爪２２の耕耘跡に排水溝を形成する溝浚器２５を取付けたため、圃場の排水性を改善して過湿を嫌う作物の生育を促進することができる許りでなく、播種作業後に排水溝を形成する場合に比して省力化を図ることができる。
【００２０】
また、播種溝を形成する作溝輪１８の左右両側部に、作溝輪１８よりも小径な接地輪１８ａを一体的に設けたため、作溝輪１８の不要な下降を規制して播種溝の深さを安定させると共に、播種溝の肩部を鎮圧して肩崩れを防止することができる。尚、播種・施肥作業機は、不耕起圃場や浅耕圃場に用いて省力的に作業を行うことが可能であるが、通常の耕耘をした耕起圃場でも充分使用できるものである。
【００２１】
さらに、作物が生育した段階においては、作業機１に、作業高さを調節する接地輪アタッチメント３３と、条間を耕耘する中耕爪３６と、耕耘土を側方に寄せる培土アタッチメント３７とを取付けて中耕培土機に仕様変更する。しかして、この仕様変更への組替部材がそれぞれキット状（アタッチメント）に形成されているため、容易かつ迅速に組替えを行うことができる。
【００２２】
また、中耕培土機として使用するにあたり、接地輪３５、中耕爪３６、ガイド板３８および培土板３９を、走行機体２の車輪４２に対して平面視で略一直線状に配置したため、走行機体２の車輪４２、接地輪３５、中耕爪３６および培土板３９を同一条間に位置させることができ、その結果、機体旋回時や作業走行時の条間合わせを容易に行うことができる。
【００２３】
また、本実施形態では、上記の同一条間配置構成を、図７の如く隔条おきにして配置しており、圃場端でＵターンして行う隣接条間の作業も隔条おきに行うことにより、培土する作物への抵抗を少なくしている。つまり、条間を一本おきに培土した後、折り返して隔条毎の作業を行い培土作業を完了させるように中耕培土機を構成している。
【００２４】
また、中耕爪３６の後方に、中耕爪３６の耕耘跡の底部に排水切溝を形成する排水切溝形成アタッチメント４０を取付けるようにしたため、圃場の排水性を改善して過湿を嫌う作物の生育を促進することができる許りでなく、別作業として排水溝を形成する場合に比して省力化を図ることができる。
【図面の簡単な説明】
【図１】作業機を播種機として使用する状態を示す斜視図である。
【図２】同上側面図である。
【図３】同上概略平面図および作用説明断面図である。
【図４】（Ａ）は播種・施肥部アタッチメントの斜視図、（Ｂ）は概略側面図である。
【図５】播種・施肥部アタッチメントの作用説明図および播種状態を示す断面図である。
【図６】作業機を中耕培土機として使用する状態を示す側面図である。
【図７】同上概略平面図および作用説明図である。
【符号の説明】
１    作業機
２    走行機体
７    耕耘軸
１１  播種・施肥ユニット
１３  播種・施肥部アタッチメント
１８  作溝輪
１９  播種パイプ
２０  施肥パイプ
２１  浅耕爪
２２  深耕爪
２３  排水溝形成兼覆土アタッチメント
２６  排水切溝形成アタッチメント
２７  鎮圧アタッチメント
３３  接地輪アタッチメント
３５  接地輪
３６  中耕爪
３７  培土アタッチメント
４０  排水切溝形成アタッチメント
４２  車輪
【図１】
0003946887.tif 000002
【図２】
0003946887.tif 000003
【図３】
0003946887.tif 000004
【図４】
0003946887.tif 000005
【図５】
0003946887.tif 000006
【図６】
0003946887.tif 000007
【図７】
0003946887.tif 000008